(57)【要約】  本発明は、マルチリンク接続のアップリンク送信電力制御（ＴＰＣ）のための方法および装置に関する。本発明の一実施形態による、マルチリンク接続のアップリンクＴＰＣのための方法は、ユーザ機器（ＵＥ）が、マルチリンク接続における各接続の各キャリアについてのセル経路損失補償ファクタと、基準電力レベルとを受信するステップと、マルチリンク接続における各接続の各キャリアについてのアップリンク送信電力調整量を受信するステップと、マルチリンク接続における各接続の各キャリアについての経路損失を測定するステップとを含む。受信されたセル経路損失補償ファクタと、基準電力レベルと、アップリンク送信電力調整量と、測定された経路損失とに従って、ＵＥは、マルチリンク接続における各接続の各キャリアについてのアップリンク送信電力を算出し、またアップリンク送信電力に基づいて、マルチリンク接続における各接続の各キャリアの上でデータを送信する。本発明は、マルチリンク接続におけるアップリンクＴＰＣの問題を解決し、またさらにロング・ターム・エボリューション（ＬＴＥ）／ＬＴＥ−進化型（ＬＴＥ−Ａ）システムを最適化する。
2016518061.tif 000002
【特許請求の範囲】
【請求項１】
マルチリンク接続のアップリンク送信電力制御（ＴＰＣ）のための方法であって、
ユーザ機器（ＵＥ）が、前記マルチリンク接続における各接続の各キャリアについてのセル経路損失補償ファクタと、基準電力レベルとを受信するステップと、
前記ＵＥが、前記マルチリンク接続における各接続の各キャリアについてのアップリンク送信電力調整量を受信するステップと、
前記ＵＥが、前記マルチリンク接続における各接続の各キャリアについての経路損失を測定するステップと、
前記受信された経路損失補償ファクタと、基準電力レベルと、アップリンク送信電力調整量と、前記測定された経路損失とに基づいて、前記ＵＥが、前記マルチリンク接続における各接続の各キャリアについてのアップリンク送信電力を算出するステップと、
前記ＵＥが、前記アップリンク送信電力に基づいて、前記マルチリンク接続における各接続の各キャリアの上でデータを送信するステップと
を含む方法。
【請求項２】
前記ＵＥは、前記マルチリンク接続における各々の対応する基地局から、前記経路損失補償ファクタと、前記基準電力レベルとを受信する、請求項１に記載の方法。
【請求項３】
前記マルチリンク接続は、前記ＵＥと、マクロ基地局との間で確立される接続と、前記ＵＥと、マイクロ基地局との間で確立される接続とを含む、請求項１に記載の方法。
【請求項４】
前記基準電力レベルは、セル基準電力レベルと、ユーザ・オフセットとを含み、前記セル基準電力レベルは、ブロードキャスト・チャネルを通して送信され、また前記ユーザ・オフセットは、無線リソース制御（ＲＲＣ）信号を通して送信される、請求項１に記載の方法。
【請求項５】
前記ＵＥは、前記マルチリンク接続における各々の対応する基地局から、ＴＰＣコマンドを受信し、前記ＴＰＣコマンドは、前記アップリンク送信電力調整量を示している、請求項１に記載の方法。
【請求項６】
前記複数の接続が、同じキャリアを使用するときに、前記ＵＥは、静的または準静的な時分割多重化のやり方で前記マルチリンク接続の上でデータを送信する、請求項１に記載の方法。
【請求項７】
ＵＥのマルチリンク接続における各接続の各キャリアについての経路損失補償ファクタと、基準電力レベルとを受信するためのパラメータ受信装置と、
前記マルチリンク接続における各接続の各キャリアについてのアップリンク送信電力調整量ΔＴＰＣを受信するための電力調整量受信装置と、
前記マルチリンク接続における各接続の各キャリアについての経路損失ＰＬを測定するための測定装置と、
前記受信された経路損失補償ファクタと、基準電力レベルと、アップリンク送信電力調整量と、前記測定された経路損失とに基づいて、前記マルチリンク接続における各接続の各キャリアについてのアップリンク送信電力Ｐを算出するための算出装置と、
アップリンク送信電力に基づいて、前記マルチリンク接続における各接続の各キャリアの上でデータを送信するための送信装置と
を備えているユーザ機器（ＵＥ）。
【請求項８】
前記パラメータ受信装置は、前記マルチリンク接続における各々の対応する基地局から、前記経路損失補償ファクタと、前記基準電力レベルとを受信する、請求項７に記載のＵＥ。
【請求項９】
前記マルチリンク接続は、前記ＵＥと、マクロ基地局との間で確立される接続と、前記ＵＥと、マイクロ基地局との間で確立される接続とを含む、請求項７に記載のＵＥ。
【請求項１０】
前記ＵＥと、前記マイクロ基地局との間で確立される前記マルチリンク接続のうちの少なくとも１つの接続では、前記パラメータ受信装置は、前記マルチリンク接続における少なくとも１つの対応するマクロ基地局から、前記経路損失補償ファクタと、その前記基準電力レベルとを受信する、請求項７に記載のＵＥ。
【請求項１１】
マルチリンク接続のアップリンク送信電力制御（ＴＰＣ）のための方法であって、前記マルチリンク接続は、ユーザ機器（ＵＥ）と、マクロ基地局との間で確立される第１の接続と、前記ＵＥと、マイクロ基地局との間で確立される第２の接続とを含む、方法において、
前記マクロ基地局が、前記ＵＥに対して、前記第１の接続および前記第２の接続の各々の各キャリアについての経路損失補償ファクタと、基準電力レベルとを送信するステップと、
前記マクロ基地局が、前記ＵＥに対して、前記第１の接続の各キャリアについてのアップリンク送信電力調整量を送信するステップと
を含む方法。
【請求項１２】
前記マクロ基地局が、前記ＵＥに対して、前記第１の接続の各キャリアについてのアップリンク送信電力調整量を送信するステップは、前記ＵＥに対して、ＴＰＣコマンドを送信するステップであり、前記ＴＰＣコマンドは、前記アップリンク送信電力調整量を示している、請求項１１に記載の方法。
【請求項１３】
前記基準電力レベルは、セル基準電力レベルと、ユーザ・オフセットとを含み、前記セル基準電力レベルは、ブロードキャスト・チャネルを通して送信され、また前記ユーザ・オフセットは、無線リソース制御（ＲＲＣ）信号を通して送信される、請求項１１に記載の方法。
【請求項１４】
マルチリンク接続のアップリンク送信電力制御（ＴＰＣ）のためのマクロ基地局であって、前記マルチリンク接続は、ユーザ機器（ＵＥ）と、マクロ基地局との間で確立される第１の接続と、前記ＵＥと、マイクロ基地局との間で確立される第２の接続とを含み、前記マクロ基地局は、
前記ＵＥに対して、前記第１の接続および前記第２の接続の各々の各キャリアについての経路損失補償ファクタと、基準電力レベルとを送信するためのパラメータ送信装置と、
前記ＵＥに対して、前記第１の接続の各キャリアについてのアップリンク送信電力調整量を送信するための電力調整量送信装置と
を備えている、マクロ基地局。
【請求項１５】
前記マクロ基地局が、前記ＵＥに対して、前記第１の接続の各キャリアについてのアップリンク送信電力調整量を送信するステップは、前記ＵＥに対して、ＴＰＣコマンドを送信するステップであり、前記ＴＰＣコマンドは、前記アップリンク送信電力調整量を示している、請求項１４に記載のマクロ基地局。
【発明の詳細な説明】
【技術分野】
【０００１】
本発明は、ワイヤレス通信の分野におけるアップリンク送信電力に関し、また詳細には、マルチリンク接続のアップリンク送信電力制御（ＴＰＣ：ｔｒａｎｓｍｉｓｓｉｏｎ  ｐｏｗｅｒ  ｃｏｎｔｒｏｌ）のための方法および装置に関する。
【背景技術】
【０００２】
ロング・ターム・エボリューション（ＬＴＥ：Ｌｏｎｇ  Ｔｅｒｍ  Ｅｖｏｌｕｔｉｏｎ）／ＬＴＥ−Ａ（ＬＴＥ−進化型（ＬＴＥ−Ａｄｖａｎｃｅｄ））プロジェクトは、最近における第３世代パートナーシップ・プロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）によって開始された最大の新しい技術研究開発プロジェクトであり、またこの技術は、コアとして直交周波数分割多重化／周波数分割多元接続（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ／ＦＤＭＡ：ｆｒｅｑｕｅｎｃｙ  ｄｉｖｉｓｉｏｎ  ｍｕｌｔｉｐｌｅ  ａｃｃｅｓｓ）を用い、「準−４Ｇ」技術と見なされる。ＬＴＥ／ＬＴＥ−Ａは、先導的な広域ブロードバンド・モバイル通信システムとなり、また将来においては、２Ｇ技術、３Ｇ技術および３．５Ｇ技術のすべてが、ＬＴＥ／ＬＴＥ−Ａステージへと進化させられるであろう。
【０００３】
低電力ノードが容量を改善し、ブラインド・スポット・カバレッジの問題を解決するので、スモール・セルの展開および増大は、ＬＴＥ／ＬＴＥ−Ａにおいて大きな注意を引くものであり、関連した成果は、３ＧＰＰ  Ｒ１２において表現されている。ユーザ機器（ＵＥ：ｕｓｅｒ  ｅｑｕｉｐｍｅｎｔ）が、マルチリンク接続を確立する場合、例えば、マクロ・セルとの第１の接続を確立し、またピコ・セル（ピコ・セルは、典型的なスモール・セルである）との第２の接続を確立する場合には、ＵＥは、マクロ・セルとの第１の接続を通して、高密度に展開されたピコ・セルの間の頻繁なハンドオーバを回避することができ、また同時に、ピコ・セルとの第２の接続を通して、スループット利得を取得することができる。しかしながら、特に同一チャネルの場合に、マルチリンク接続をサポートしながら、どのようにしてアップリンクＴＰＣを実施すべきかは、解決される必要がある問題になる。この問題が、解決され得ない場合には、マルチリンク接続技術のさらなる開発および応用が影響を受けるであろう。
【先行技術文献】
【非特許文献】
【０００４】
【非特許文献１】３ＧＰＰ  Ｒ１２
【発明の概要】
【課題を解決するための手段】
【０００５】
本発明は、マルチリンク接続のアップリンクＴＰＣのための方法および装置を対象としている。
【０００６】
本発明の一実施形態は、マルチリンク接続のアップリンクＴＰＣのための方法を提供しており、また本方法は、ＵＥが、マルチリンク接続における各接続の各キャリアについてのセル経路損失補償ファクタと、基準電力レベルとを受信するステップと、マルチリンク接続における各接続の各キャリアについてのアップリンク送信電力調整量を受信するステップと、マルチリンク接続における各接続の各キャリアについての経路損失を測定するステップとを含む。受信されたセル経路損失補償ファクタと、基準電力レベルと、アップリンク送信電力調整量と、測定された経路損失とに基づいて、ＵＥは、マルチリンク接続における各接続の各キャリアについてのアップリンク送信電力を算出し、またアップリンク送信電力に基づいて、マルチリンク接続における各接続の各キャリアの上でデータを送信する。一実施形態においては、ＵＥは、マルチリンク接続において、各々の対応する基地局から、セル経路損失補償ファクタと、基準電力レベルとを受信する。一実施形態においては、マルチリンク接続は、ＵＥと、マクロ基地局との間に確立される接続と、ＵＥと、マイクロ基地局との間に確立される接続とを含む。ＵＥと、マイクロ基地局との間に確立される、マルチリンク接続のうちの、少なくとも１つの接続では、ＵＥは、マルチリンク接続における少なくとも１つの対応するマクロ基地局から、経路損失補償ファクタと、その基準電力レベルとを受信する。基準電力レベルは、セル基準電力レベルと、ユーザ・オフセットとを含んでおり、セル基準電力レベルは、ブロードキャスト・チャネルを通して送信されており、またユーザ・オフセットは、無線リソース制御（ＲＲＣ：ｒａｄｉｏ  ｒｅｓｏｕｒｃｅ  ｃｏｎｔｒｏｌ）信号を通して送信されている。ユーザ・オフセットは、接続の上でＵＥによって実行されるサービス品質に関係づけられる。本発明の一実施形態によれば、ＵＥは、マルチリンク接続における各々の対応する基地局から、ＴＰＣコマンドを受信し、そのＴＰＣコマンドは、アップリンク送信電力調整量を示している。さらに、複数の接続が、同じキャリアを使用するときに、ＵＥは、静的または準静的な時分割多重化のやり方で、マルチリンク接続の上でデータを送信する。
【０００７】
本発明の一実施形態は、さらに、アップリンクＴＰＣのための方法を実行することができるＵＥを提供している。一実施形態においては、ＵＥは、ＵＥのマルチリンク接続における各接続の各キャリアについてのセル経路損失補償ファクタと、基準電力レベルとを受信するためのパラメータ受信装置と、マルチリンク接続における各接続の各キャリアについてのアップリンク送信電力調整量を受信し、またマルチリンク接続における各接続の各キャリアについての経路損失を測定するための電力調整量受信装置と、受信されたセル経路損失補償ファクタと、基準電力レベルと、アップリンク送信電力調整量と、測定された経路損失とに基づいて、マルチリンク接続における各接続の各キャリアについてのアップリンク送信電力を算出するための算出装置と、アップリンク送信電力に基づいて、マルチリンク接続における各接続の各キャリアの上でデータを送信するための送信装置とを含む。
【０００８】
別の実施形態においては、パラメータ受信装置は、マルチリンク接続において各々の対応する基地局から、セル経路損失補償ファクタと、基準電力レベルとを受信する。ＵＥと、マイクロ基地局との間で確立されるマルチリンク接続のうちの、少なくとも１つの接続では、パラメータ受信装置は、マルチリンク接続において、少なくとも１つの対応するマクロ基地局から、経路損失補償ファクタと、基準電力レベルとを受信する。電力調整量受信装置は、マルチリンク接続において、各々の対応する基地局から、ＴＰＣコマンドを受信し、そのＴＰＣコマンドは、アップリンク送信電力調整量を示している。
【０００９】
本発明の一実施形態は、さらに、マルチリンク接続のアップリンクＴＰＣのための方法を提供しており、ここでは、マルチリンク接続は、ＵＥと、マクロ基地局との間で確立される第１の接続と、ＵＥと、マイクロ基地局との間で確立される第２の接続とを含む。一実施形態においては、本方法は、マクロ基地局が、ＵＥに対する第１の接続および第２の接続の各々の各キャリアについての経路損失補償ファクタと、基準電力レベルとを送信するステップと、マクロ基地局が、ＵＥに対する第１の接続の各キャリアについてのアップリンク送信電力調整量を送信するステップとを含む。
【００１０】
それに応じて、本発明の一実施形態は、さらに、アップリンクＴＰＣのための方法を実行することができるマクロ基地局を提供しており、またマクロ基地局は、ＵＥに対する第１の接続および第２の接続の各々の各キャリアについての経路損失補償ファクタと、基準電力レベルとを送信するためのパラメータ送信装置と、ＵＥに対して、第１の接続の各キャリアについてのアップリンク送信電力調整量を送信するための電力調整量送信装置とを含む。
【発明の効果】
【００１１】
本発明は、マルチリンク接続におけるアップリンクＴＰＣの問題を解決しており、またさらに、ＬＴＥ／ＬＴＥ−Ａシステムを最適化しており、その結果、単一のＵＥが、同時にマクロ・セル、およびスモール・セルと接続される可能性があり、それによってピコ・セルの間の頻繁なハンドオーバを防止しており、またスループット利得を改善している。さらに、本発明はまた、サービス品質の要件に従って、異なる接続の上で異なるタイプのサービスを送信することを可能にしている。
【図面の簡単な説明】
【００１２】
【図１】本発明の一実施形態による、マルチリンク接続をサポートするワイヤレス通信システムのアプリケーション・シナリオについての概略図である。
【図２】本発明の一実施形態による、マルチリンク接続をサポートするアップリンクＴＰＣの方法のフローチャートである。
【図３】本発明の一実施形態による、マルチリンク接続をサポートするアップリンクＴＰＣのための方法のフローチャートである。
【図４】本発明の一実施形態による、マルチリンク接続をサポートするアップリンクＴＰＣのためのＵＥの概略構造図である。
【図５】本発明の一実施形態による、マルチリンク接続をサポートするアップリンクＴＰＣのためのマクロ基地局の概略構造図である。
【発明を実施するための形態】
【００１３】
ＬＴＥ／ＬＴＥ−Ａシステムにおいては、アップリンクＴＰＣは、セル・エッジ・レートと、セル容量との間のバランスを達成するために、可能な限り隣接するセルの上で、その干渉を抑制しながら、受信された信号電力を最大にするために使用される。１つのキャリアの場合には、キャリアが、単一リンクの接続の中にあるときには、ただ１つの経路損失が、アップリンクＴＰＣにおいて、考慮される必要がある。しかしながら、マルチリンク接続の場合には、ＵＥは、複数の基地局との接続を確立し、また各接続は、異なる経路損失を有している。単一リンクの接続のための従来のアップリンクＴＰＣは、適用可能ではない。
【００１４】
本発明の実施形態による、マルチリンク接続のアップリンクＴＰＣのための方法および装置は、上記問題を解決することができる。
【００１５】
図１は、本発明の一実施形態による、マルチリンク接続をサポートするワイヤレス通信システムのアプリケーション・シナリオの概略図である。図１に示されるように、ＵＥ１０は、同じチャネルの上で、マクロ基地局２０（これは、マクロ・セルを規定する基地局であり、マクロ基地局は、関連したプロトコルの中で規定され、また本明細書においては再び詳細に説明されることはない）との第１のリンク接続と、マイクロ基地局３０（これは、マイクロ・セルを規定する基地局であり、マイクロ基地局は、関連したプロトコルの中で規定され、また本明細書においては再び詳細に説明されることはない）との第２の接続とをサポートする。明らかに、他の実施形態においては、ＵＥ１０は、より多くのリンク接続をサポートすることができる。さらに、これらのリンク接続は、純粋にマクロ基地局（マクロ・セル）２０を用いて確立される接続とすることができ、また純粋にマイクロ基地局（マイクロ・セル）３０を用いて確立される接続とすることもできる。同一チャネルの場合における第１の接続と、第２の接続とをサポートするために、ＵＥ１０は、静的または準静的な時分割多重化のやり方で２つのリンク接続の上でデータを送信することができる。
【００１６】
図２は、本発明の一実施形態による、マルチリンク接続をサポートするアップリンクＴＰＣのための方法のフローチャートである。アップリンクＴＰＣのための方法は、図１に示される通信アプリケーション・シナリオに対して適用される。図２は、マルチリンク接続におけるキャリアのうちの決定されたキャリアｉに対するアプリケーションを示すにすぎず、また、実際には、そのアプリケーションは、任意の接続についての任意のキャリアの場合に同じであることに注意すべきである。当業者なら、各接続の各キャリアに対して本方法を適用することができ、これらのアプリケーションはまた、本発明の保護範囲の内部に完全に含まれ、また本明細書においては詳細に説明されることはない。送信時間間隔においては、キャリアｉの上で、アップリンクＴＰＣ値は、ＵＥ１０と、マクロ基地局２０やマイクロ基地局３０など、データが送信される相手の基地局との間の経路損失の関数として規定されることもある。関数は、当業者によく知られているアップリンク送信電力算出関数とすることができ、またその算出関数は、基準電力レベル、経路損失補償ファクタ、ＴＰＣ調整量、割り付けられたリソースの数、ＭＣＳ補償など複数の変数を含んでいる。本発明においては、２つの変数は、すなわち、割り付けられたリソースの数と、ＭＣＳ補償とは、先行技術のこれらの変数と同じであり、またそれゆえに、本明細書においては省略され、基準電力レベルと、経路損失補償ファクタと、ＴＰＣ調整量とだけが、説明される。例えば、第１の接続についてのキャリアｉでは、ＵＥ１０のアップリンク送信電力Ｐ１は、次式、すなわち
Ｐ１（ｉ）＝Ｐ０１（ｉ）＋α１（ｉ）＊ＰＬ１（ｉ）＋ｆ（ΔＴＰＣ１（ｉ））    （１）
のように制御される可能性がある。
【００１７】
決定されたキャリアｉの場合には、Ｐ０１は、ＵＥ１０についてマクロ基地局２０によって設定される基準電力レベルであり、またセル基準電力レベル（セル特有の成分）と、ユーザ・オフセット（ユーザ特有の成分）とを含むことができ、α１は、ＵＥ１０についてマクロ基地局２０によって設定される経路損失補償ファクタであり、ＰＬ１は、第１の接続の経路損失であり、ΔＴＰＣ１は、ＴＰＣ調整量であり、このＴＰＣ調整量はまた、ＵＥ１０についてマクロ基地局２０によって設定される。マクロ基地局２０は、ブロードキャスト・チャネルを通して、ＵＥ１０に対して、Ｐ０１におけるセル基準電力レベルを送信し、またＲＲＣ信号を通してＰ０１における経路損失補償ファクタα１と、ユーザ・オフセットとを送信する。ユーザ・オフセットは、第１の接続の上でＵＥによって実行されるサービス品質に関係づけられることもある。
【００１８】
同様に、第２の接続の場合には、キャリアｉの上で、ＵＥ１０のアップリンク送信電力Ｐ２は、次式、すなわち、
Ｐ２（ｉ）＝Ｐ０２（ｉ）＋α２（ｉ）＊ＰＬ２（ｉ）＋ｆ（ΔＴＰＣ２（ｉ））    （２）
のように制御される可能性がある。
【００１９】
Ｐ０２は、ＵＥ１０についてマイクロ基地局３０によって設定される基準電力レベルであり、またセル基準電力レベル（セル特有の成分）と、ユーザ・オフセット（ユーザ特有の成分）とを含むことができ、α２は、ＵＥ１０についてマイクロ基地局３０によってやはり設定される経路損失補償ファクタであり、ＰＬ２は、第２の接続の経路損失であり、ΔＴＰＣ２は、ＴＰＣ調整量であり、このＴＰＣ調整量はまた、ＵＥ１０についてマイクロ基地局３０によって設定される。マイクロ基地局３０は、ブロードキャスト・チャネルを通して、ＵＥ１０に対して、Ｐ０２におけるセル基準電力レベルを送信し、またＲＲＣ信号を通してＰ０２における経路損失補償ファクタα２と、ユーザ・オフセットとを送信する。他の実施形態においては、マイクロ基地局３０を用いて確立される第２の接続の経路損失補償ファクタα２と、基準電力レベルＰ０２とは、マクロ基地局２０によって管理され、設定され、また送信される可能性もある。同じＵＥ１０の場合には、第１の接続と、第２の接続とについてのセル基準電力レベルと、ユーザ・オフセットとは、同じであってもよく、または異なっていてもよい。ユーザ・オフセットは、第２の接続の上でＵＥによって実行されるサービス品質に関係づけられる。
【００２０】
図２に示されるように、ステップ４０において、ＵＥ１０は、マルチリンク接続の各々の経路損失補償ファクタと、基準電力レベルとを受信する。具体的には、図１におけるアプリケーション・シナリオにおいては、ＵＥ１０は、マクロ基地局２０から、第１の接続についてのセル経路損失補償ファクタα１と、基準電力レベルＰ０１とを受信し、またマイクロ基地局３０から、第２の接続についてのセル経路損失補償ファクタα２と、基準電力レベルＰ０２とを受信する。マイクロ基地局３０（ピコ・セル）によって確立される第２の接続についてのセル経路損失補償ファクタα２と、基準電力レベルＰ０２とが、マクロ基地局２０によって管理され、また設定されるときに、ＵＥ１０は、マクロ基地局２０から、セル経路損失補償ファクタα２と、基準電力レベルＰ０２とを受信する。
【００２１】
ステップ４２において、ＵＥ１０は、マルチリンク接続の各々のアップリンク送信電力調整量を受信する。同様に、図１に示されるアプリケーション・シナリオにおいては、ＵＥ１０は、マクロ基地局２０と、マイクロ基地局３０とから、第１の接続と、第２の接続とのアップリンク送信電力調整量ΔＴＰＣ１とΔＴＰＣ２とを別々に受信する。この実施形態においては、ＵＥ１０は、各基地局から、すなわち、マクロ基地局２０と、マイクロ基地局３０とから、ＴＰＣコマンドを別々に受信し、ここで、ＴＰＣコマンドは、対応する接続のアップリンク送信電力調整量ΔＴＰＣ１とΔＴＰＣ２とを示す。言い換えれば、ＵＥ１０は、ＴＰＣコマンドに従って、それらの接続についてのアップリンク送信電力Ｐ１とＰ２とを調整する。
【００２２】
ステップ４４において、ＵＥ１０は、マルチリンク接続における各接続の各キャリアの上の経路損失を、例えば、第１の接続と、第２の接続との経路損失ＰＬ１と、ＰＬ２とを測定する。
【００２３】
ステップ４６において、受信されたセル経路損失補償ファクタと、基準電力レベルと、アップリンク送信電力調整量と、測定された経路損失とに基づいて、ＵＥ１０は、マルチリンク接続の各々のアップリンク送信電力を算出し、例えば、算出を用いて第１の接続と、第２の接続とのアップリンク送信電力Ｐ１とＰ２とを取得する。
【００２４】
最後に、ステップ４８において、ＵＥ１０は、アップリンク送信電力に基づいて、マルチリンク接続の各々の上でデータを送信する。例えば、同じキャリアの上で、ＵＥ１０は、静的または準静的な時分割多重化のやり方で、アップリンク送信電力Ｐ１を使用することにより、第１の接続の上でデータを送信し、またアップリンク送信電力Ｐ２を使用することにより、第２の接続の上でデータを送信する。
【００２５】
当業者なら、本発明におけるフローチャートと、その説明とは、単に、本発明の実施形態を明確に示すためにすぎず、またその他の方法で指定されない限り、それらのステップのシーケンスを限定することはない（以下同じ）ことを理解すべきである。例えば、一実施形態においては、ＵＥ１０は、各リンク接続についての基準電力レベルと、経路損失補償ファクタとを受信することができ、また次いで各リンク接続についての経路損失を別々に測定する。経路損失補償ファクタと、基準電力レベルとは、長い間隔で受信されることもあるが、送信電力調整量は、ＴＴＩ−レベルで受信され、すなわち、短い間隔で受信されることもある。マルチ接続データ送信が、時分割のやり方で同じキャリアの上で実行される場合、ＵＥ１０が、マクロ基地局２０など、接続の基地局からスケジューリング許可を受信するときに、ＵＥ１０は、基準電力レベルによるこの接続のアップリンク送信電力と、セル経路損失補償ファクタと、測定された経路損失とを算出し、また受信されたＴＰＣコマンドに従ってアップリンク送信電力を調整し、それによってその接続についてのアップリンク送信電力を制御している。
【００２６】
図３は、本発明の一実施形態による、マルチリンク接続をサポートするアップリンクＴＰＣのための方法のフローチャートであり、またある状況を実証することができ、ここでは、マクロ基地局２０は、マイクロ基地局３０の代わりに、第２の接続に対応する基準電力レベルと、セル経路損失補償ファクタとを設定し、また送信する。同様に、図３はまた、接続の決定されたキャリアについてのアプリケーションを示すものである。図３に示されるように、ステップ５０において、マクロ基地局２０は、ＵＥ１０に対して、第１の接続および第２の接続の各々のセル経路損失補償ファクタと、基準電力レベルとを送信する。一実施形態においては、基準電力レベルは、ＳＩＮＲターゲットを制御するために使用される。別の実施形態においては、異なるタイプのサービスが、異なる接続の上で送信される可能性があり、また関連した基準電力レベルは、ブロック・エラー・レート（ＢＬＥＲ：ｂｌｏｃｋ  ｅｒｒｏｒ  ｒａｔｅ）要件など、異なるサービス品質要件に従って、設定される。ステップ５２においては、マクロ基地局２０は、ＵＥ１０に対して、第１の接続のアップリンク送信電力調整量を送信する。マルチリンク接続の他の実施形態では、それらの接続における１つのマクロ基地局２０は、ＵＥ１０と、マイクロ基地局３０との間で確立される複数の接続についてのセル経路損失補償ファクタと、基準電力レベルとを送信し、またそれらの接続における複数のマクロ基地局２０が、異なるマイクロ基地局３０の代わりに、セル経路損失補償ファクタと、基準電力レベルとを設定し、また送信することも可能である。
【００２７】
図４は、本発明の一実施形態による、マルチリンク接続をサポートするアップリンクＴＰＣのためのＵＥ１０の概略構造図である。ＵＥ１０は、アップリンクＴＰＣのための上記方法を実行することができ、またＵＥ１０のマルチリンク接続における各接続の各キャリアについてのセル経路損失補償ファクタと、基準電力レベルとを受信するためのパラメータ受信装置１１と、マルチリンク接続における各接続の各キャリアについてのアップリンク送信電力調整量を受信し、またマルチリンク接続における各接続の各キャリアについての経路損失を測定するための電力調整量受信装置１３と、受信された経路損失補償ファクタと、基準電力レベルと、アップリンク送信電力調整量と、測定された経路損失とに基づいて、マルチリンク接続における各接続の各キャリアについてのアップリンク送信電力を算出するための算出装置１７と、アップリンク送信電力に基づいて、マルチリンク接続における各接続の各キャリアの上でデータを送信するための送信装置１９とを含む。
【００２８】
図５は、本発明の一実施形態による、マルチリンク接続をサポートするアップリンクＴＰＣのためのマクロ基地局２０の概略構造図である。マクロ基地局２０は、ＵＥ１０に対して、第１の接続および第２の接続の各々の各キャリアについての経路損失補償ファクタと、基準電力レベルとを送信するためのパラメータ送信装置２１と、ＵＥ１０に対して、第１の接続の各キャリアについてのアップリンク送信電力調整量を送信するための電力調整量送信装置２３とを含む。
【００２９】
本発明は、マルチ・チャネル接続が、特に同一チャネルの場合に、サポートされる場合に可能性のあるマクロ・セルと、スモール・セル（ピコ・セルなど）とを有する同じＵＥの間で接続を行うマルチリンク接続をサポートするアップリンクＴＰＣのための方法および装置を提供しており、またそれゆえに、マクロ・セルは、制御プレーン・カバレッジを提供し、またスモール・セルは、負荷バランシングを用いてデータ・プレーンの容量を改善する。さらに、複数のリンク接続が、サポートされ、異なるサービス品質要件に従って、異なる接続の上で異なるタイプのサービスを送信することを可能にしている。
【００３０】
本発明の技術的内容と、技術的特徴とが、上記で開示されているが、しかしながら、当業者なら、依然として、本発明の教示と開示とに基づいて、本発明の精神を逸脱することなく、置換と修正とを行うことができる。それゆえに、本発明の保護範囲は、実施形態の形で開示された内容だけに限定されるべきではないが、本発明を逸脱することのない様々な置換形態と、修正形態とを含むべきであり、また本特許出願の特許請求の範囲によって対象として含まれるべきである。
【図１】
2016518061.tif 000003
【図２】
2016518061.tif 000004
【図３】
2016518061.tif 000005
【図４】
2016518061.tif 000006
【図５】
2016518061.tif 000007
【国際調査報告】
2016518061.tif 000008
2016518061.tif 000009
2016518061.tif 000010